(57)【要約】【課題】  容器本体の取出口とともに蓋体に取出口となる開口を設けることによって、収納物の所望する取出量に応じて、二つの取出口を簡単に使い分けることのできるとともに、蓋体に設けた収納室から捨て紙等も簡単に取り出すことができるようにした容器を提供すること。【解決手段】  容器本体と蓋本体と、蓋本体に装着される上蓋とからなる容器であって、蓋本体は、容器本体に装着される装着部と、装着部にヒンジを介して連設された蓋体とからなり、蓋体は、中央部に凹部を形成した頂壁と、側周壁を具え、凹部は、開口が穿設された段部と、収納室と、上蓋を装着する装着部とから形成され、上蓋は、ヒンジを介して折りたたみ自在として前記段部に当接し、開口を開閉するようにしたことを特徴とする。【選択図】  図１
2010202214.tif 000002
【特許請求の範囲】
【請求項１】
容器本体と蓋本体と、蓋本体に装着される上蓋とからなる容器であって、
蓋本体は、容器本体に装着される装着部と、装着部にヒンジを介して連設された蓋体とからなり、
蓋体は、中央部に凹部を形成した頂壁と、側周壁を具え、
凹部は、開口が穿設された段部と、収納室と、上蓋を装着する装着部とから形成され、
上蓋は、ヒンジを介して折りたたみ自在として、前記段部に当接し、開口を開閉するようにしたことを特徴とする二つの取出口を設けた容器。
【請求項２】
上蓋は、段部と係合する蓋板部と、収納室と係合する押し板部と、装着部に装着される装着板部とを具え、
蓋板部と押し板部、および、押し板部と装着板部との間には、折曲げ可能に形成されたヒンジがそれぞれ設けられていることを特徴とする請求項１記載の容器。
【請求項３】
蓋体の装着部に、嵌合孔が穿設され、
上蓋の装着板部下面に、嵌合孔に嵌合する嵌合片が配設されていることを特徴とする請求項２記載の容器。
【発明の詳細な説明】
【技術分野】
【０００１】
本発明は、ガム等の食品などを収納するとともに、捨て紙等の収納部を有する食品用容器、とくに、収納部の取出口を大小二つ設けた容器に関するものである。
【背景技術】
【０００２】
ガム、その他の食品などの収納物を収納するとともに、捨て紙等を収納した容器において、衛生上の問題により、収納物と捨て紙等とを別々に収納するため、容器本体内に収納物を収納し、容器本体を閉蓋する蓋体に捨て紙等の収納室を設けた食品用容器は、従来より知られている（例えば、特許文献１参照）。
【先行技術文献】
【特許文献】
【０００３】
【特許文献１】特開２００５−３０６４５２
【発明の概要】
【発明が解決しようとする課題】
【０００４】
しかしながら、上記特許文献１記載の従来技術では、容器本体の開口が収納物の取出口となるので、少量の内容物を取り出す場合には、開口から手指を入れてつかみ出すことになり、不衛生であるという問題があった。
また、所望する適量の内容物だけを取り出すことも容易でなかった。
【０００５】
本発明は、上記問題を解決することを課題とし、容器本体の取出口とともに蓋体に取出口となる開口を設けることによって、収納物の所望する取出量に応じて、二つの取出口を簡単に使い分けることのできるとともに、蓋体に設けた収納室から捨て紙等も簡単に取り出すことができるようにした容器を提供することを目的とする。
【課題を解決するための手段】
【０００６】
本発明は、上記の課題を解決するため、二つの取出口を設けた食品用容器として、容器本体と蓋本体と、蓋本体に装着される上蓋とからなる容器であって、蓋本体は、容器本体に装着される装着部と、装着部にヒンジを介して連設された蓋体とからなり、蓋体は、中央部に凹部を形成した頂壁と、側周壁を具え、凹部は、開口が穿設された段部と、収納室と、上蓋を装着する装着部とから形成され、上蓋は、ヒンジを介して折りたたみ自在として、前記段部に当接し、開口を開閉するようにしたことを特徴とする構成を採用する。
【０００７】
上蓋の実施例として、上蓋は、段部と係合する蓋板部と、収納室と係合する押し板部と、装着部に装着される装着板部とを具え、蓋板部と押し板部、および、押し板部と装着板部との間には、折曲げ可能に形成されたヒンジがそれぞれ設けられていることを特徴とする構成を採用する。
【０００８】
上蓋の装着のために、蓋体の装着部に、嵌合孔が穿設され、上蓋の装着板部下面に、嵌合孔に嵌合する嵌合片が配設されていることを特徴とする構成を採用する。
【発明の効果】
【０００９】
容器本体と蓋本体と、蓋本体に装着される上蓋とからなる容器において、蓋本体は、容器本体に装着される装着部と、装着部にヒンジを介して連設された蓋体とからなり、蓋体の頂壁に、開口が穿設された段部と、収納室と、上蓋を装着する装着部を形成した凹部を設け、上蓋は、ヒンジを介して折りたたみ自在として、装着部に装着されるとともに、前記段部と当接し、開口を開閉するようにしたことによって、装着部、または、段部の開口を取出口として、収納物の取り出す量により、二つの取出口を簡単に使い分けて使用することができる。
また、捨て紙等を収納する収納室を設けたので、上蓋を開閉することによって蓋体から捨て紙等も簡単に取り出して使用することができる。
【図面の簡単な説明】
【００１０】
【図１】本発明容器の断面立面図である。
【図２】蓋本体と上蓋の説明図で、（ａ）は上面図、（ｂ）は蓋本体と上蓋の分解断面立面図である
【図３】容器の説明図で、（ａ）は上蓋の一部開蓋状態の断面図、（ｂ）は上蓋開放状態を示す断面立面図である。
【図４】容器の蓋本体開蓋時の断面立面図である。
【発明を実施するための形態】
【００１１】
次に、本発明容器の実施形態について、図面を参照して説明する。
図１において、Ａは容器本体、Ｂは容器本体Ａに装着した蓋本体、Ｃは蓋本体Ｂの上部に装着された上蓋、Ｄは蓋本体Ｂ内に収納された捨て紙である。
【００１２】
容器本体Ａは、上端を蓋本体Ｂを装着する口部１とした胴部２と底部３とからなっており、収納物として、ガム、あめ、その他の食品が収納される。
【００１３】
蓋本体Ｂは、図１、２に示すように、容器本体Ａの口部１に装着される装着部Ｂ１と、装着部Ｂ１にヒンジＢ２を介して連設される蓋体Ｂ３とからなっている。
【００１４】
装着部Ｂ１は、内筒５と、内筒５の外周に連設されるリング状の上壁６と、上壁６外縁に垂設され、内周が容器本体Ａの口部１と係合する係合外筒７とからなり、上壁６外縁の所定位置には、ヒンジＢ２が連設されている。
内筒５の下部外周と係合外筒７内周は、容器本体Ａの口部１を挟み込むとともに、係合外筒７が口部１外周と係合して、容器本体Ａに蓋本体Ｂを装着させるようになっている。
【００１５】
蓋体Ｂ３は、中央部を凹部８として形成した頂壁９と、頂壁９周縁に連設される側周壁１０と、側周壁１０の下面に垂設され、外周下部が装着部Ｂ１の内筒５の内周上面に挿入される係合筒１１とからなり、側周壁１０の外周下端の所定の位置には、ヒンジＢ２が連設されている。
【００１６】
凹部８は、中心線に対してヒンジＢ２の反対側に形成される段部１３と、該段部１３よりヒンジＢ２側に位置し、内方に捨て紙Ｄを収納する側壁と底壁によって形成された収納室１４と、収納室１４のヒンジＢ２側部に形成され、上蓋Ｃを装着する装着部１５とからなっている。
段部１３には、ヒンジＢ２の反対側に偏った位置に、開口１６が穿設されている。
装着部１５には、嵌合孔１７が穿設されている。
【００１７】
側周壁１０は、下端面が装着部Ｂ１の上壁６上面に当接するとともに、内周下部が内筒５の上部外周に係合し、蓋体Ｂ３が装着部Ｂ１に対して閉蓋するように形成されており、ヒンジＢ２の反対側外周には、つまみ１８が配設されている。
【００１８】
上蓋Ｃは、蓋板部２０と、押し板部２１と、装着板部２２とからなっており、蓋板部２０と押し板部２１、および、押し板部２１と装着板部２２との間には、下面を折曲げ可能に形成されたヒンジ２３とヒンジ２４がそれぞれに設けられている。
上蓋Ｃは、蓋本体Ｂの蓋体Ｂ３の凹部８の側周内縁と同一の径に形成され、上下動可能とされているとともに、閉蓋時に、上面が蓋本体Ｂの蓋体Ｂ３の頂壁９上面と面一となる板状に形成されている。
【００１９】
蓋板部２０の下面には、外周が段部１３の開口１６のヒンジＢ２の反対側内縁に係合して、閉蓋を維持する係合片２５が配設されている。
蓋板部２０は、閉蓋時に、下面が段部１３の上面に当接するとともに、開口１６を塞ぎ、密封するようになっている。
【００２０】
装着板部２２の下面には、凹部８の装着部１５の嵌合孔１７に嵌合する嵌合片２６が配設されており、装着板部２２は、装着部１５に装着されるようになっている。
嵌合片２６の下端部外周には、膨出部２７が設けられており、嵌合孔１７に嵌合したときには、膨出部２７は嵌合孔１７の下端面に嵌合され、強固に装着される。
【００２１】
次に、本容器の使用態様と作用効果について説明する。
本容器は、蓋本体Ｂの装着部Ｂ１と蓋体Ｂ３とを係合させ閉蓋した後、蓋体Ｂ３の凹部８の装着部１５の嵌合孔１７に上蓋Ｃの装着板部２２の嵌合片２６を嵌合させ、蓋本体Ｂに上蓋Ｃを装着する。  
次に、上蓋Ｃの上面と蓋体Ｂ３の頂壁９上面を面一にするとともに、上蓋Ｃの蓋板部２０と蓋体Ｂ３の段部１３を係合させて開口１６を塞ぎ、蓋体Ｂ３を上蓋Ｃにより閉蓋した後、蓋本体Ｂを、ガム、あめ玉、その他の食品等の内容物を収納した容器本体Ａに装着する。
【００２２】
捨て紙Ｄは、上蓋Ｃにより蓋体Ｂ３を閉蓋する以前に、蓋体Ｂ３の凹部８の収納室１４内に収納される。
また、捨て紙Ｄは、ガム等を食した後で捨てる場合には、包んで捨てる捨て紙であるが、あめ玉等を食する場合には、手指を清拭するウェットティッシュ等などでもよい。
【００２３】
容器本体Ａ内の収容物をある程度少量使用する際には、上蓋Ｃの押し板部２１上面を指などで押下げる。
押し板部２１の押下げに応じて、図３（ａ）に示すように、上蓋Ｃの装着板部２２は蓋体Ｂ３の装着部１５に固定されているので、ヒンジ２４を支点に押し板部２１の中央側が下方に傾斜するとともに、ヒンジ２３を介して蓋板部２０を下方に引張る。
【００２４】
蓋板部２０のヒンジ２３側が下方に引張られると、蓋板部２０下面に当接した蓋体Ｂ３収納室１４の上端部１４ａが梃子の支点となり、ヒンジ２３が変形するとともに蓋板部２０のヒンジＢ２の反対側が持ち上がり、蓋体Ｂ３の段部１３の開口１６内縁と上蓋Ｃの係合片２５との係合が外れ、開口１６が開蓋される。
【００２５】
さらに、押し板部２１を押下げると、蓋体Ｂ３の収納室１４の上端部１４ａの梃子の作用により、押し板部２１の傾斜角度に比べ、蓋板部２０の傾斜角度を大きく持ち上げられ、開口１６は開蓋状態になる。
最後に、容器を傾けていくと、容器開蓋状態の蓋体Ｂ３の開口１６を取出口として容器本体Ａ内の収容物を少量ずつ取り出すことができる。
【００２６】
閉蓋する際には、上蓋Ｃの蓋板部２０上面のヒンジＢ２の反対側を指などで押下げると、蓋体Ｂ３の収納室１４の上端部１４ａを支点として、押し板部２１のヒンジＢ２側が持ち上げられ、ヒンジ２３、および、ヒンジ２４を変形させ、上蓋Ｃの上面と蓋体Ｂ３の頂壁９上面を面一にするとともに、上蓋Ｃの蓋板部２０を蓋体Ｂ３の段部１３に係合当接させて開口１６を塞ぎ、閉蓋状態にできる。
【００２７】
捨て紙Ｄを使用する際には、上蓋Ｃの蓋板部２０が持ち上げられた開蓋状態から、蓋板部２０を指などで把持し、上方に持ち上げると、図３（ｂ）に示すように、蓋板部２０とともに押し板部２１のヒンジ２３側も引張られ、ヒンジ２４を支点として押し板部２１が持ち上がり、上蓋Ｃが開放状態になる。
開放状態の蓋体Ｂ３の収納室１４から捨て紙Ｄを取り出して使用することができる。
【００２８】
捨て紙Ｄを取り出した後、閉蓋する際には、上蓋Ｃの蓋板部２０を指などで把持し、ヒンジ２４を介して下げると、上蓋Ｃと蓋体Ｂ３の凹部８を係合させるとともに、開口１６を塞ぎ、閉蓋状態にできる。
【００２９】
容器本体Ａ内の収容物をある程度多量使用する際には、蓋本体Ｂの蓋体Ｂ３のつまみ１８を指などで押し上げ、蓋体Ｂ３を持ち上げる。
蓋体Ｂ３の持ち上げに応じて、ヒンジＢ２を支点に装着部Ｂ１に対して持ち上がり、装着部Ｂ１の内筒５と、蓋体Ｂ３の側周壁１０および係合筒１１との係合が外れ、図４に示すように、蓋体Ｂ３が開蓋される。
開蓋状態の装着部Ｂ１の内筒５を取出口として容器本体Ａ内の収容物を多量に取り出すことができる。
【００３０】
閉蓋する際には、ヒンジＢ２を支点に蓋体Ｂ３を廻動させ、蓋体Ｂ３を装着部Ｂ１に係合させ、閉蓋する。
【００３１】
本容器は、広さの異なる取出口を二つ設けたので、使用する量に応じて簡単に取出口を使い分けることができる。
また、二つの取出口の開蓋方法が異なることにより、間違って違う取出口を開蓋して使用してしまうことを防止することができる。
さらに、捨て紙等の収納室を容器内に設けているので、容器の使用中に捨て紙等をなくしてしまうことを防止することができる。
【００３２】
収納室については、捨て紙等を収納する収納室として説明してきたが、物品の収納だけでなく、上蓋Ｃの蓋板部２０に収納室１４の上端部１４ａが係合し、段部１３の開口１６を開閉するので、単に上蓋Ｃの開閉機構として利用することができる。 
【産業上の利用可能性】
【００３３】
本発明の容器は、広さの異なる二つの取出口を形成し、使用する量に応じて簡単に取出口を使い分けることができ、また、捨て紙等をキャップ内に収納し、上蓋を持ち上げることによって捨て紙等を取り出すことができるようにしたので、簡単に、かつ衛生的に使用することができる食品用容器として広く利用することができる。
また、収納物を粉末状の薬品とし、捨て紙等をオブラートなどに変えて、粉末状の薬品を包んで使用することのできる薬品用容器としても、広く利用することができる。
【符号の説明】
【００３４】
Ａ          容器本体
Ｂ          蓋本体
Ｂ１        装着部
Ｂ２、２３、２４  ヒンジ
Ｂ３        蓋体
Ｃ          上蓋
Ｄ          捨て紙
１          口部
２          胴部
３          底部
５          内筒
６          上壁
７          係合外筒
８          凹部
９          頂壁
１０        側周壁
１１        係合筒
１３        段部
１４        収納室
１４ａ      上端部
１５        装着部
１６        開口
１７        嵌合孔
１８        つまみ
２０        蓋板部
２１        押し板部
２２        装着板部
２５        係合片
２６        嵌合片
【図１】
2010202214.tif 000003
【図２】
2010202214.tif 000004
【図３】
2010202214.tif 000005
【図４】
2010202214.tif 000006